(57)【特許請求の範囲】
【請求項１】
ミキシング操作に必要な各種のスイッチ、ツマミを有しかつチャンネル毎に区分された制御卓上にあり、ミキシング操作に伴う情報を伝達するための発光素子を備えた表示部と、この表示部の発光素子を駆動する発光素子駆動部と、前記チャンネルに対応して設けられタッチセンサを備えたフェーダ操作部と、このフェーダ操作部からのデータを入力すると共に前記発光素子駆動部を制御する制御部とを有し、
前記制御部はタッチセンサの動作を確認するとそのタッチセンサに対応する入力チャンネルの表示部の輝度を変化させるように発光素子駆動部を制御する輝度調整手段を備えてなることを特徴とするチャンネルナビゲーションシステム。
【発明の詳細な説明】
【０００１】
【発明の属する技術分野】
この発明は、放送局、レコーディングスタジオ等において複数のオーディオ信号を入力し、必要な調整、加工、ミキシング操作を行うミキシング装置に関する。
【０００２】
【従来の技術】
この種のミキシング装置として、例えば図３に示す構成のものが知られている。図において１は制御卓、２は各入力チャンネルＣＨ１〜ＣＨ８０毎に区分された（縦１列分が１チャンネルに相当）チャンネルモジュール、３はプリミキシングモジュール、４はマスターフェーダ／コントロールモジュール、１３’はチャンネルモジュール２のチャンネルフェーダユニットである。
【０００３】
チャンネルモジュール２の各チャンネルＣＨ１〜ＣＨ８０には、マイク入力、あるいは楽器、テープレコーダ、ＣＤ等からのライン入力が接続され、これらのオーディオ信号のレベルや位相を調整し、パン、イコライジング等の加工操作を行い、チャンネルフェーダ１３’にて所望の出力レベルに調整して送出する。そして、各チャンネルＣＨ１〜ＣＨ８０からの出力は、マスターフェーダ／コントロールモジュールにてミキシング、調整され放送用等の出力信号となる。
【０００４】
ところで、このようにオーディオ信号の加工、調整を行うチャンネルモジュール２には、図示しない音量調整、切り換えスイッチ等の調整用のツマミやスイッチが多数設けられていて、必要な操作を行うことができるようになっている。また、これに対応してスイッチ類の状態表示やボリュームのメモリ、レベルメータといった表示器が多数設けられ、ミクサーに必要な情報が与えられるようになっている。
【０００５】
【発明が解決しようとする課題】
しかしながら、例えば上記のミキシング装置においてはチャンネルモジュール２がＣＨ１〜ＣＨ８０の８０チャンネルと膨大なチャンネル数を有するため、隣接するチャンネルのチャンネルモジュールと表示内容やスイッチ類を混同しやすく、特に迅速な操作が要求される音声ソフト等の製作現場でチャンネル毎の正確な操作が困難となり、操作ミス誘引する要因となっていた。そして、このような問題は上記の例に限らず、多系統の入力を扱うミキシング装置では、程度の差はあるものの普遍的な課題となっていた。
【０００６】
この発明はかかる点に鑑みなされたもので、その目的とするところは、チャンネルモジュールの特定のチャンネルを操作する際に、他のチャンネルのスイッチ類や表示と明確に判別することが可能で、チャンネル毎の操作を容易にすると共に、操作ミスを防止できるチャンネルナビゲーションシステムを提供することにある。
【０００７】
【課題を解決するための手段】
上記課題を解決するため本発明は、ミキシング操作に必要な各種のスイッチ、ツマミを有しかつチャンネルＣＨ１〜ＣＨ８０毎に区分された制御卓１上にあり、ミキシング操作に伴う情報を伝達するための発光素子を備えた表示部１１と、この表示部１１の発光素子を駆動する発光素子駆動部１２と、前記チャンネルＣＨ１〜ＣＨ８０に対応して設けられタッチセンサ１３ａを備えたフェーダ操作部１３と、このフェーダ操作部１３からのデータを入力すると共に前記発光素子駆動部１２を制御する制御部５とを有し、
前記制御部５はタッチセンサ１３ａの動作を確認するとそのタッチセンサ１３ａに対応する入力チャンネルの表示部の輝度を変化させるよう発光素子駆動部１２を制御する輝度調整手段を備えることとした。
【０００８】
【発明の実施の形態】
次に、本発明の実施の形態について説明する。図１は、本発明にかかるチャンネルナビゲーションシステムの基本構成を示したブロック図である。
【０００９】
図において、５は制御卓１からの操作データに応じて入力したオーディオ信号に必要な加工、調整を行い、制御卓１上に必要な情報を表示させる制御部、ＣＨ１〜ＣＨｎは制御卓１上のチャンネルモジュール２における各チャンネル、１１は発光素子を有する表示部、１２は表示部１１の発光素子を動作させる発光素子駆動部、１３は各チャンネルＣＨ１〜ＣＨｎ毎のフェーダ操作を行うフェーダ操作部、１３ａはフェーダ操作部１３にあるタッチセンサである。
【００１０】
チャンネルモジュール２は、マイクやライン入力信号あるいはグループ化された信号の系統毎に各チャンネルＣＨ１〜ＣＨｎとして区分され、この各チャンネルＣＨ１〜ＣＨｎ毎に上記のような、ミキシング操作に必要な調整、加工を行えるようになっている。そして、制御卓１上には各チャンネルＣＨ１〜ＣＨｎに対応して操作スイッチ、ツマミ類が設けられていて、調整、加工に必要な操作を行えるようになっている。
【００１１】
表示部１１は、上記のような制御卓１上のスイッチ、ツマミ類と対応し、あるいは操作に必要な情報を表示する。すなわち、例えば操作スイッチの動作に応じて内蔵された発光素子を点灯させ、あるいは切り換えられた機能、入出力系統に対応する表示位置の発光素子を点灯させて動作を確認させたり、ボリューム、バランス、パン等の調整ツマミの動作に応じて、対応する目盛りの発光素子を点灯させるようになっている。
【００１２】
発光素子駆動部１２は上記表示部１１の各発光素子を点灯させるため必要な電流を与えるもので、この例では電流をオン・オフし、その比率であるデューティー比を調節することで、発光素子に流れる電流を制御するダイナミック駆動方式を採用している。そして、この発光素子駆動部１２は制御部５から与えられる制御信号により、所定の発光素子を駆動し、点灯させる。なお、発光素子としては経済性、コンパクト性、消費電流の点で優れたＬＥＤが一般的に用いられるが、そのほかに液晶パネルのバックライト、ネオン管等でも良い。その場合には、発光素子の駆動方法も、発光素子により適応したものを用いることになる。
【００１３】
フェーダ操作部１３は、各チャンネルＣＨ１〜ＣＨｎ毎の最終出力レベルやＡＵＸ出力レベルを調整するもので、この例ではリニアタイプのボリュームを使用しているが、エンコーダの如きものでも良い。このフェーダ操作部１３は、他のスイッチ類が１度設定してしまえば、あまり操作されない性質のものであるのに対し、ミキシング作業中に頻繁に操作されるものである。
【００１４】
そして、フェーダ操作部１３のフェーダスイッチ（ツマミ）には、タッチセンサ１３ａの接触子が設けられていて、この接触子の容量の変化や人体からのノイズを検出することで、人体のフェーダスイッチへの接触を検出できるようになっている。また、タッチセンサ１３ａの動作はフェーダ操作部１３の調整レベル情報（図中の破線）とは別に制御部５に伝達され、制御部５はどのチャンネルのフェーダ操作部１３が動作しているかを認識できるようになっている。
【００１５】
制御部５は、プロセッサおよびその周辺部品、制御プログラム等により構成されている。そして、操作卓１上のスイッチ類を監視し、動作が確認されたスイッチの種類、機能、チャンネル、グループ等に応じて、電子スイッチ、リレー、電子ボリューム等を動作させ、あるいは音声加工用回路のパラメータを変化させる。
【００１６】
輝度調整手段は、あるチャンネル（ＣＨ１）のタッチセンサ１３ａの動作を確認すると、そのチャンネル（ＣＨ１）の表示部１１にある発光素子の輝度を、他のチャンネルの発光素子の輝度と異なるものに変化させる。すなわち、この例では動作が確認されたタッチセンサ１３ａのチャンネル（ＣＨ１）に相当する発光素子駆動部１２の、デューティー比を変化させ、発光素子の輝度を変化させる。
【００１７】
このデューティー比は、大きく（オン時間を長く）すれば発光素子は明るくなり、小さく（オン時間を短く）すると発光素子は暗くなる。従って、周囲の環境等により区々ではあるが、通常はデューティー比を大きくして、発光素子を明るく点灯させた方が視認性は向上する。なお、発光素子駆動部１２のデューティー比を変化させる方法としては、専用の駆動回路（素子）を用いて制御信号を与える方法もあるが、この例では制御部５のプロセッサが各発光素子をスキャンして必要な発光素子に対して直接点灯信号を与えているので、そのスキャン時間、あるいは点灯のために設定された（オン・オフ）時間を変化させることによりデューティー制御を行っている。
【００１８】
このように、ある系統のチャンネル（ＣＨ１）を操作しようとする場合には、通常フェーダ操作部１３が操作され、またミクサーにも一番近い位置にあるため、このフェーダ操作部１３のフェーダスイッチに触れることで、そのチャンネル（ＣＨ１）の表示部１１にある発光素子の輝度を変化させれば、隣接するチャンネルと明確に区別でき、そのチャンネル（ＣＨ１）の入力系統、パラメータの設定内容、出力先等の必要な情報を迅速かつ正確に認識できる。
【００１９】
なお、表示部１１、発光素子駆動部１２、フェーダ操作部１３、タッチセンサ１３ａのハードウエア構成を、各チャンネルＣＨ１〜ＣＨｎ毎に分離したものとする必要はなく、その一部を共通にして、制御部５のプロセッサが制御する上で理論上区分してあるようにしても良い。
【００２０】
また、上記の例では発光素子駆動部１２は、ダイナミック駆動方式であることとしたが、スタティックタイプのものでも良く、その場合には、半導体素子等を用いて抵抗値を変化させ（切り換えて）、駆動電流を調整するようにすれば良い。
【００２１】
【実施例】
次に、本発明にかかるチャンネルナビゲーションシステムを適用するチャンネルモジュール２の具体的な実施例について説明する。図１はチャンネルモジュール２の具体的な構成を示した外観図である。
【００２２】
図において、１３はフェーダ操作部であるチャンネルフェーダユニット、１３ａはフェーダスイッチのツマミに設けられたタッチセンサ（接触子）、１４はマイク・ＡＵＸ／ＥＱユニット、１５はマイク入力ユニット、１６はＬＥＤによるバーグラフタイプのレベルメータである。そして、各チャンネルＣＨ１〜ＣＨｎ毎に各ユニットが設けられ、チャンネルモジュール２を構成している。
【００２３】
しかして、マイク・ＡＵＸ／ＥＱユニット１４にはパン、導入時間、圧縮比、バランス等を調整するツマミ（主に図中の丸）とこれらのツマミの切り換え、回路接続の切り換え等のスイッチ類（主に図中の四角）が配置されている。各ツマミの目盛りはＬＥＤでその回転量、つまり調整位置が表示され、各スイッチはアクティブの状態で内蔵のＬＥＤが点灯する。また切り換え先の回路や、切り換えられた機能名のＬＥＤモジュールが点灯し表示する。
【００２４】
マイク入力ユニット１５も同様に、入力先（ＭＩＣ，ＲＥＴ，ＳＥＮＤ）の切り換えスイッチや入力レベル、フィルタの周波数調整用のツマミがある。レベルメータ１６にはバーグラフを構成するＬＥＤモジュールが配置されている。そして、チャンネルフェーダユニット１３にはフェーダスイッチの他に接続情報等を表示するためのＬＥＤ、液晶表示器と切り換えスイッチが設けられている。
【００２５】
このような構成のチャンネルモジュール２において、あるチャンネルのフェーダスイッチをミクサーが触ると、そのチャンネルのチャンネルフェーダユニット１３、マイク・ＡＵＸ／ＥＱユニット１４、マイク入力ユニット１５、レベルメータ１６に設けられているＬＥＤ素子の輝度が変化し、周囲のチャンネルのものより明るく点灯する。このようにして、操作しようとするチャンネルと周囲のチャンネルの表示とが明確に区別できるようになる。
【００２６】
なお、上記の例ではチャンネルフェーダユニット１３、マイク・ＡＵＸ／ＥＱユニット１４、マイク入力ユニット１５、レベルメータ１６の全てのＬＥＤの輝度を変化させるように説明したが、周囲のチャンネルと明確に区別する必要のあるユニットのＬＥＤの輝度を変化させるだけでも良く、また輝度を変化させるＬＥＤはそのユニット内の主要なものだけでも良い。
【００２７】
【発明の効果】
以上のように本発明によれば、操作をしようとするチャンネルの表示部の輝度が変化するので、
周囲のチャンネルと明確に区別でき、そのチャンネルの情報を的確に把握できると共に、迅速かつ確実な操作が可能となる。
【図面の簡単な説明】
【図１】本発明にかかるチャンネルナビゲーションシステムの、基本構成を示したブロック図である。
【図２】チャンネルモジュールの、具体的な構成を示した外観図である。
【図３】従来のミキシング装置の構成を示す概略構成図である。
【符号の説明】
１    制御卓
２    チャンネルモジュール
３    プリミキシングモジュール
４    マスターフェーダ／コントロールモジュール
５    制御部
１１    表示部
１２    発光素子駆動部
１３    フェーダ操作部
１３ａ  タッチセンサ
１３’  チャンネルフェーダユニット
１４    マイク・ＡＵＸ／ＥＱユニット
１５    マイク入力ユニット
１６    レベルメータ
ＣＨ１〜ＣＨｎ  各チャンネル
【図１】
0003771629.tif 000002
【図２】
0003771629.tif 000003
【図３】
0003771629.tif 000004